(57)【特許請求の範囲】
【請求項１】
複数の階床に停止可能な複数のかごを乗場で行先階を入力して乗場呼びを登録する行先呼びに基づいて、前記かごを一群として管理し、制限値によって同一階からの各行先呼びに応じて複数のかごを割当てるエレベータ群管理制御装置であって、
前記行先呼び登録装置による前記呼びに対して各かごの最大停止回数を制限するための制限値を設定する制限値設定部と、
前記呼びに対して、前記制限を実施するか否かを判定する行先呼び数制限実施判定部と、
前記行先呼び数制限実施判定部が前記制限を実施すると判定した場合に前記制限値設定部で設定された制限値に基づいて割当候補かごとして選定する割当候補かご選定部と、
前記行先呼び制限判定部により行先呼びの制限を実施しないと判定された全てのかごの中から、若しくは前記行先呼び制限判定部により行先呼びの制限を実施すると判定され、前記割当候補かご選定部により割当候補かごと選定された中から新規行先呼びに対する割当かごの選定を行う割当かご選定部と、
前記複数のかごの時間帯による交通状態を判定する交通状態判定部と、を備え、
前記交通状態判定部が満員通過と判定した場合には、前記行先呼び数制限実施判定部は、行先呼び数の制限を実施しないと判定することを特徴とするエレベータ群管理制御装置。
【発明の詳細な説明】
【技術分野】
【０００１】
この発明は、複数のエレベータ装置を一群として管理するエレベータの群管理制御装置に関するものである。
【背景技術】
【０００２】
従来の群管理制御装置においては、各かごの最大停止回数に制限を設けることにより、かごの周回時間の短縮を図っている。その制限値について、混雑階や一般階は異なる値に設定したり、各階の仕様（主階床、食堂、会議室、最上階、最下階）に応じた値に設定したりする構成が開示されている（例えば、特許文献１，２）。
【先行技術文献】
【特許文献】
【０００３】
【特許文献１】ＷＯ２００８／１４２７８５
【特許文献２】ＷＯ２００８／１１７３９４
【発明の概要】
【発明が解決しようとする課題】
【０００４】
従来のエレベータ群管理制御装置では、各かごの最大停止回数の制限値を必ず用いるため、利用者にとっては場合によっては長待ちとなり、不満を募らせることを生じさせる問題点があった。
【課題を解決するための手段】
【０００５】
本発明に係るエレベータ群管理制御装置は、複数の階床に停止可能な複数のかごを乗場で行先階を入力して乗場呼びを登録する行先呼びに基づいて、かごを一群として管理し、制限値によって同一階からの各行先呼びに応じて複数のかごを割当てるエレベータ群管理制御装置であって、
行先呼び登録装置による前記呼びに対して各かごの最大停止回数を制限するための制限値を設定する制限値設定部と、
呼びに対して、制限を実施するか否かを判定する行先呼び数制限実施判定部と、
行先呼び数制限実施判定部が前記制限を実施すると判定した場合に前記制限値設定部で設定された制限値に基づいて割当候補かごとして選定する割当候補かご選定部と、
行先呼び制限判定部により行先呼びの制限を実施しないと判定された全てのかごの中から、若しくは前記行先呼び制限判定部により行先呼びの制限を実施すると判定され、割当候補かご選定部により割当候補かごと選定された中から新規行先呼びに対する割当かごの選定を行う割当かご選定部と、
複数のかごの時間帯による交通状態を判定する交通状態判定部と、を備え、
交通状態判定部が満員通過と判定した場合には、行先呼び数制限実施判定部は、行先呼び数の制限を実施しないと判定することを特徴とする。
【発明の効果】
【０００６】
この発明は、満員通過やカード入力などの特殊な呼びなどを検知した場合、行先呼び数の制限を実施しないことにより、最も早く応答するかごを割当てることができ、当該利用者の満足度を向上させることができる。
【図面の簡単な説明】
【０００７】
【図１】この発明の実施の形態１におけるエレベータ群管理制御装置の構成図である。
【図２】この発明の実施の形態１におけるエレベータ群管理制御装置のフローチャートである。
【図３】この発明の実施の形態２におけるエレベータ群管理制御装置の構成図である。
【発明を実施するための形態】
【０００８】
実施の形態１
以下、この発明の実施形態を図１〜図２を用いて説明する。
図１はこの発明の実施の形態におけるエレベータ群管理制御装置の構成図である。図１において、かご１は乗客が乗車するエレベータかごであり、かご制御装置２は、かご１より入力された行先呼び登録を群管理制御装置４に伝送するためのものであり、行先呼び登録装置３は、各乗場において、行先階登録を行い、群管理制御装置４へ伝送するためのものである。
群管理制御装置４は、かご制御装置２や行先呼び登録装置３からの行先階登録に基づいて、適切な割当を行うためのものである。なお、かご１、かご制御装置２は１式としており、図は例えば2台を示しているが、複数台ある場合には、台数分を有している。また、行先呼び登録装置は各乗場に設置されており、これも複数あってもよい。
【０００９】
群管理制御装置４は、時間帯による交通状態を判定するための交通状態判定部１０、階床数や主階床などのビル仕様データが記憶されているビル仕様データ記憶部１１の情報に基づいて、割当かごを決定するための割当制御部９を有している。
【００１０】
割当制御部９は、制限値設定部５、行先呼び数制限実施判定部６、割当候補かご選定部７、割当かご選定部８を有しており、以下詳細に説明する。
【００１１】
制限値設定部５は、交通状態判定部１０やビル仕様データ記憶部１１などによって提供される情報をもとに、同一のかごが受け持つことが出来る行先呼びの個数を制限するための制限値を設定する。これは、例えば、３台のエレベータを有する１２階建てのビルにおいて、制限値を４とすることによって、各エレベータの停止回数を最大4までに平準化し、エレベータの運行効率を上げるために用いられる。
【００１２】
行先呼び数制限実施判定部６は、前記制限値設定部５により設定された制限値を用いて新規行先呼びに対して前記制限を実施するか否かを判定する。判定条件は以下のとおりである。
【００１３】
判定条件１：「特定の時間帯」であること
交通状態判定部１０などにより満員を検知した時間帯に対して、行先呼び数の制限を実施しないことを判定条件とする。
これにより、満員通過の階床の乗客に対して、最も早く応答するかごを割当てることができ、前記乗客への満足度を向上させることができる。
満員通過という事象は、特定の時間帯に発生するものではあるが、1日で見た場合に、さほど頻発するものではなく、また種々の階床で同時に発生する性格のものではない。そのため、本動作による群管理効率の低下は無視できる程度のものである。
【００１４】
判定条件２：「特定の階床」であること
最上階付近や最下階付近において登録人数が少ないかごがある場合、前記制限を実施し、行先呼び数の制限値を増やす。
これは、より登録人数が多いかごに乗車する人の満足度を向上させるためで、登録人数の少ないかごの制限値増加による遅延の影響が少ないためである。
【００１５】
なお、行先呼び数の制限数が全てのかごにおいて制限値に達している場合、特許文献１では制限値を増加させていたが、本実施の形態では、制限値を増やす代わりに行先呼び数の制限を実施しないようにしても良い。
【００１６】
判定条件３：「特定の場所及び特定の時間帯の組合せ」に基づく
交通状態判定部１０やビル仕様データ記憶部１１により、行先呼びが出勤時の混雑検出階の場合、前記制限を実施し、行先呼び数の制限値を減らす。
これにより、停止階の回数を減らすことによりかごの１周の時間を減らすことができることによって、混雑階による配車を速やかに実施することができる。
【００１７】
割当候補かご選定部７は、制限値設定部５で設定された制限値が超過しないようなかごを割当候補かごとして選定する。
【００１８】
割当かご選定部８は、他の評価項目（待ち時間、走行距離）を考慮して、割当候補かご選定部７の選定結果なども参照しつつ、割当かごを決定する。
【００１９】
交通状態判定部１０は、ビル内で発生している交通状態を検知し、時間帯によるビルの交通状態を判別する。例えば、行先呼び数制限実施判定部６の判定条件１のための満員通過の時間帯の情報を提供する。
【００２０】
ビル仕様データ記憶部１１は、群管理制御装置４で利用される階床数や主階床などのビル仕様を記憶している。例えば、行先呼び数制限実施判定部６の判定条件２及び３のための階床情報を提供する。
【００２１】
次に、群管理制御装置４の動作について図２に基づいて説明する。図２はこの発明の実施の形態におけるエレベータ群管理制御装置の動作を説明するためのフローチャートである。
まず、制限値設定部5により行先呼びの個数を制限するための制限値が設定される(Ｓ１０１)。
【００２２】
次に、行先呼び登録装置３により、行先呼びが発生すると(Ｓ１１０)、行先呼び数制限実施判定部６により、新規行先呼びの割当候補かご選定に際して、制限を実施するか否かの判定が行われ、制限を実施しないと判定した場合（Ｎｏ）、割当かご選定Ｓ１１３に移行し、制限を実施すると判定した場合（Ｙｅｓ）、制限値による割り当てかご選定Ｓ１１２に移行する(Ｓ１１１)。
【００２３】
行先呼び数制限実施判定部６により制限を実施すると判定された場合は、割当候補かご選定部７により、全てのかごに対して行先呼び数の制限を実施するため、新規行先呼びをかごに割当てた際に制限値を超過してしまうかごには、当該呼びに対する割当は行わず除外することで、制限値による割当候補かごの選定を行う(Ｓ１１２)。
【００２４】
割当かご選定部８では、(Ｓ１１１)で行先呼びの制限を実施しないと判定された全てのかごの中から、もしくは(Ｓ１１１)で行先呼びの制限を実施すると判定され、(Ｓ１１２)により割当候補かごと選定された中から、新規行先呼びに対する割当かごの選定を行う(Ｓ１１３)。
以上のように本実施の形態１では、行先呼び数制限実施判定部６により制限を実施しないと判定すると、行先呼び数の制限を実施しないこととしたので、最も早く応答するかごを割当てることができ、乗客への満足度向上が可能な割当ができるという効果がある。
実施の形態２
【００２５】
実施の形態１では、特定の時間帯や特定の場所に基づいて各かごの最大停止回数の制限値の実施を行わない構成を示したが、本実施の形態では更に乗客属性の判定結果を用いることにより、各かごの停止回数の制限の実施を行わない構成を説明する。
以下、この発明の実施形態を図１、図３を用いて説明する。
図３はこの発明の実施の形態２におけるエレベータ群管理制御装置の構成図である。
図３において、図１における行先呼び登録装置３に、乗客属性判定装置１２が追加されている。
【００２６】
乗客属性判定装置12は、カードリーダーや指紋認証装置などの乗客の属性を判定する装置であり、各乗場において、行先階登録を行い、群管理制御装置４へ伝送するためのものである。行先呼び登録装置３と同様に、異なる行先階へかごを移動させるための行先呼びを登録することも可能である。
乗客属性判定装置12を備えることにより、以下のような判定条件も可能となる。
【００２７】
判定条件４：「特定の呼び」であること
乗客属性判定装置１２によって、ＶＩＰ（Ｖｅｒｙ  Ｉｍｐｏｒｔａｎｔ  Ｐｅｒｓｏｎ）や職位の高い乗客を検出した時に、行先呼び数の制限を実施しないことを判定条件とする。
これにより、ＶＩＰや職位の高い乗客に対して、最も早く応答するかごを割当てることができ、前記乗客への満足度を向上させることができる。
ＶＩＰや職位の乗客などの呼びは、特殊な呼びであって、発生頻度は少ないため、本動作による群管理効率の低下は無視できる程度のものである。
【００２８】
乗客属性判定装置12によって、女性を検出した場合、女性専用かごを割当てることを判定条件としたり、乗客毎のエレベータの利用頻度や年配の乗客を検出して、利用頻度が少ない乗客には戸開時間が長いかごを割当てたりすることを判定条件とする。
これにより、乗客の属性に合わせたかごを割当てることができ、前記乗客への満足度を向上させることができる。
【００２９】
乗客属性判定装置12によって、交通状態判定部１０により、ＶＩＰなどの乗客を検出した場合、行先呼び数の制限を減らすことを判定条件とする。
これにより、ＶＩＰなどの乗客には混雑度の少ないかごを割当てることが可能となり、前記乗客への満足度を向上させることが出来る。
【００３０】
以上のように本実施の形態２では、行先呼び数制限実施判定部６の判定条件として乗客属性判定装置12により乗客の属性別にも制限の実施の有無を判定することを可能としたので、より幅広い乗客に対して、満足度を向上させることができるような割当が可能となる。
【００３１】
以上の説明では、行先呼び数制限実施判定部６で制限を実施すると判定した時は、制限値設定部５により設定された制限値を用いていたが、前記判定条件によっては、制限値を増やしたり、減らしたりしても良い。
【産業上の利用可能性】
【００３２】
本発明は、行先呼び登録を行うエレベータの群管理制御装置に利用できる。
【符号の説明】
【００３３】
１  かご
２  かご制御装置
３  行先呼び登録装置
４  群管理制御装置
５  制限値設定部
６  行先呼び数制限実施判定部
７  割当候補かご選定部
８  割当かご選定部
９  割当制御部
１０  交通状態判定部
１１  ビル仕様データ記憶部
１２  乗客属性判定装置
【図１】
0005967277.tif 000002
【図２】
0005967277.tif 000003
【図３】
0005967277.tif 000004